(57)【要約】【課題】掃除範囲を拡張すると共に、収納状態における収納高さを抑え、コンパクトで安定性の高い収納状態を確保した電気掃除機を提供する。【解決手段】電気掃除機本体１に接続するホース体１１先端の先端パイプ８内に副ホース９を縮めて収納するとともに、副ホース９の先端に延長管３に接続可能な接続部１３を設け、後端を先端パイプ８内に嵌め合わせ係合にて保持すると共に、前記接続部は先端パイプ８の前部に着脱自在に嵌合保持可能とし、かつ掃除機本体と延長管及び先端パイプと延長管に係合手段６，７，２１，２２を設けたもので、先端パイプ８から接続部１３を外し副ホース９を引き伸ばすことで掃除範囲を広げることが可能になると共に、副ホース９を屈曲した状態で収納することで収納状態をコンパクトにまとめることができるものである。【選択図】図１
2007037674.tif 000002
【特許請求の範囲】
【請求項１】
掃除機本体と、掃除機本体に接続したホースと、ホース端部の先端パイプ部を介して連なる延長管と、延長管の先端に接続した吸込具とを備え、前記先端パイプ部内には副ホースを縮めて収納すると共に当該副ホースの端部には前記延長管と接続可能な接続部を設け、この接続部を前記先端パイプ部の端部に着脱自在に嵌合保持し、かつ、前記先端パイプ部及び延長管に第１係合手段を、前記掃除機本体と延長管に第２係合手段を設け、前記延長管を立設させた際に前記副ホースの接続部を先端パイプ部の端部から外して副ホースを当該先端パイプ部より引き出し屈曲させ、更に、前記先端パイプ部及び延長管の第１係合手段を係合させると共に掃除機本体と延長管の第２係合手段を係合させて前記延長管を立設し収納状態とする電気掃除機。
【請求項２】
先端パイプの副ホースを収納するスペースを真直ぐな形状とした請求項１記載の電気掃除機。
【請求項３】
副ホースの接続部と先端パイプ部の嵌合構成を捻り嵌合とした請求項１または２記載の電気掃除機用ホース。
【請求項４】
副ホースの伸長時の長さが、先端パイプ部と延長管が略平行になるように屈曲できる長さ／あるいはそれ以上を確保した請求項１〜３のいずれか１項に記載の電気掃除機用ホース。
【請求項５】
副ホースを屈曲し係合保持した際に、副ホース露出部の両端が略同一高さになるように設定した請求項１〜４のいずれか１項記載の電気掃除機。
【請求項６】
副ホースの内径を延長管との接続部の内径よりも大きく設定した請求項１〜５のいずれか１項記載の電気掃除機。
【請求項７】
先端パイプ部の接続部は各種吸込具が接続できる構成とした請求項１〜６のいずれか１項記載の電気掃除機。
【発明の詳細な説明】
【技術分野】
【０００１】
本発明はコンパクトな収納状態とすることができる電気掃除機に関するものである。
【背景技術】
【０００２】
一般にキャニスタータイプと呼ばれる電気掃除機は、掃除機本体を立てるとともにこの掃除機本体に沿わせて延長管を立設し収納状態とするようになっている。その際延長管と掃除機本体とを接続しているホースは前記延長管に巻きつけて収納状態とするようになっている。一方、従来のこの種の電気掃除機の中には、家具や高いところを掃除することを目的として、掃除機本体からのホース端部の先端パイプ内に副ホースを納め、この副ホースの先端に吸込具を連結して、掃除をしやすくするものが見られる（例えば、特許文献１参照）。
【特許文献１】実開昭６１−１４０７５４号公報
【発明の開示】
【発明が解決しようとする課題】
【０００３】
しかしながら前者のものは、ホースを延長管に巻きつけて収納状態とするため、それが延長管より大きく外方に位置する形態となって結構大きな収納スペースを必要とするとともに、前記延長管へのホースの巻きつきにより不安定な状態になる、という課題があった。
【０００４】
一方後者の引用文献に開示されている電気掃除機は、先端パイプより副ホースを引き出して掃除がしやすくなるものの、それ以上の機能をもつものではなかった。
【０００５】
本発明は、ホース先端部を約１８０度折り返し、その状態で連結保持できるようにすることによって電気掃除機の収納状態における収納高さを抑えると共に、収納状態でのホースの重心位置を下げることによって収納状態時の安定性を向上させることを目的としている。
【課題を解決するための手段】
【０００６】
上記従来の課題を解決するために、本発明は、掃除機本体と、掃除機本体に接続したホースと、ホース端部の先端パイプ部を介して連なる延長管と、延長管の先端に接続した吸込具とを備え、前記先端パイプ部内には副ホースを縮めて収納すると共に当該副ホースの端部には前記延長管と接続可能な接続部を設け、この接続部を前記先端パイプ部の端部に着脱自在に嵌合保持し、かつ、前記先端パイプ部及び延長管に第１係合手段を、前記掃除機本体と延長管に第２係合手段を設け、前記延長管を立設させた際に前記副ホースの接続部を先端パイプ部の端部から外して副ホースを当該先端パイプ部より引き出し屈曲させ、更に、前記先端パイプ部及び延長管の第１係合手段を係合させると共に掃除機本体と延長管の第２係合手段を係合させて前記延長管を立設し収納状態とする構成としてあり、先端パイプから接続部を外し副ホースを引き伸ばすことで掃除範囲を広げることが可能になると共に、副ホース部を屈曲した状態で収納することで収納状態をコンパクトにまとめることができ、かつ、安定性の高い収納形態を実現することができる。
【発明の効果】
【０００７】
本発明は、掃除範囲を拡張すると共に、収納状態における収納高さを抑え、コンパクトで安定性の高い収納状態を確保した電気掃除機を提供することができる。
【発明を実施するための最良の形態】
【０００８】
第１の発明は、掃除機本体と、掃除機本体に接続したホースと、ホース端部の先端パイプ部を介して連なる延長管と、延長管の先端に接続した吸込具とを備え、前記先端パイプ部内には副ホースを縮めて収納すると共に当該副ホースの端部には前記延長管と接続可能な接続部を設け、この接続部を前記先端パイプ部の端部に着脱自在に嵌合保持し、かつ、前記先端パイプ部及び延長管に第１係合手段を、前記掃除機本体と延長管に第２係合手段を設け、前記延長管を立設させた際に前記副ホースの接続部を先端パイプ部の端部から外して副ホースを当該先端パイプ部より引き出し屈曲させ、更に、前記先端パイプ部及び延長管の第１係合手段を係合させると共に掃除機本体と延長管の第２係合手段を係合させて前記延長管を立設し収納状態とする構成としてあり、先端パイプから接続部を外し副ホースを引き伸ばすことで掃除範囲を広げることが可能になると共に、副ホース部を屈曲した状態で収納することで収納状態をコンパクトにまとめることができ、かつ、安定性の高い収納形態を実現することができる。
【０００９】
第２の発明は、特に、第１の発明における副ホースを収納するパイプ部を真直ぐな形状としたもので、副ホース収納状態での収まりをよくでき、吸塵通路の凹凸を最大限均一かつ滑らかにすることができ、塵埃を引っかかりにくくでき、また吸込み力の損失を抑え高い吸込み力を維持することができるものである。
【００１０】
第３の発明は、特に、第１または第２の発明の副ホースの接続部と先端パイプ部の嵌合構成を捻り嵌合としたものであり、構成が容易でありコンパクトで安価に形成することができる。
【００１１】
第４の発明は、特に、第１〜第３の発明における副ホースはその伸長時の長さが、先端パイプ部と延長管が略並行になるように屈曲できる長さ／あるいはそれ以上を確保したもので、延長管に対しホースが接続された先端パイプを１８０度屈曲させることで収納状態をコンパクトにまとめることを可能にしたものである。
【００１２】
第５の発明は、第１〜第４の発明において副ホースを屈曲し係合保持した際に、副ホース露出部の両端が同一高さになるように設定したもので、副ホースをバランスよく屈曲させることができ、副ホース屈曲部の局部的な負担を軽減することができるものである。
【００１３】
第６の発明は、第１〜５の発明において副ホースの内径を延長管接続部の内径よりも大きく設定したもので、副ホース部による吸塵性能の低下を抑えることができる。
【００１４】
第７の発明は、第１〜６の発明においてホース先端パイプの接続部に各種吸込具が接続できる構成としたもので、掃除範囲の拡張ができるものである。
【００１５】
（実施の形態１）
本発明の第１の実施の形態における電気掃除機について、図１〜図３を用いて説明する。
【００１６】
図１は、本実施の形態における電気掃除機の収納状態を示すものである。図のように電気掃除機の収納状態は、掃除機本体１、ホース２、延長管３、吸込具４の順で尾錠嵌合等により着脱自在に連結された状態において、ホース２の後端パイプ５が上方を向くように掃除機本体１を起こし、延長管３の下部に設けた第１係合部６と掃除機本体１の底面に設けた第１被係合部７とを係合させ、そして更に本発明の特徴となるホース２の先端パイプ８内の副ホース９を引き出し、屈曲した状態において先端パイプ８に設けた第２係合部２１を延長管３に先端パイプ８近傍に設けた第２被係合部２２に係合させてあり、ホース２は掃除機本体１の近傍、すなわちかなり低い所に位置する形で延長管３及び掃除機本体１が立設した状態で収納保持される。
【００１７】
次に本発明の特徴的構成部分の詳細について図２，図３を用いて説明する。
【００１８】
図２は通常使用時（副ホース収納時）のホース２先端パイプユニット１０を示し、図３は立設収納時（副ホース屈曲時）の先端パイプユニット１０を示すものである。
【００１９】
ホース２はホース体１１の後端パイプ５を掃除機本体１接続され、先端側に延長管３と接続される先端パイプユニット１０が設けられている。また、先端パイプユニット１０は内部に副ホース９が縮めた状態で収納してあり、かつ、ホース体１１に接続された先端パイプ８と延長管３に接続される接続部１３とを備えている。そして、先端パイプ８には、掃除中に握られるハンドル１４がホース体１１に対して略平行に設けられ、その一部に掃除機を運転制御するための操作スイッチ１５が配置されている。また、先端パイプ８は、その後部に連結パイプＡ１６を介して前記ホース体１１が回転自在に保持され、前部に副ホース９の端部を直結固定すると共に、当該副ホース９を覆うようにその外側に配された半割対のカバー１７を有している。
【００２０】
このカバー１７により、収納時の副ホース９は真直ぐな状態で保護されている。また、副ホース９の前部は接続部１３に連結固定され、この連結部１３は半割対の接続カバー１８で挟持されている。接続部１３と先端パイプ８とは副ホース９を真直ぐにした状態においてカバー１７の嵌合部に回転かつ着脱自在に嵌合保持してある。また、先端パイプ８にはハンドル１４とは反対側に係合部２１を設けると共に、図１、図３に示す収納状態時に前記係合部２１と係合する被係合部２２が設けてあり、収納状態においてこれらの係合手段２１，２２の係合と前記掃除機本体１と延長管３との係合手段６，７の係合により掃除機本体１と延長管３とを率設した状態で収納できるようにしてある。
【００２１】
上記構成による作用は以下の通りである。
【００２２】
電気掃除機の収納状態、すなわち掃除機本体１を起こし、延長管３の第１係合部６を本体の第１被係合部７に係合した状態で、先端パイ８プから接続部１３をはずし、副ホース９を引き伸ばしながら先端パイプ８をホース体１１が下（本体側）を向くように倒した位置で先端パイプ８の第２係合部２１と延長管３の第２被係合部２２とを係合させて保持させることができる。この時、接続部１３と先端パイプ８の上端がほぼ同一高さになるような位置で係合保持している。
【００２３】
以上のように上記実施形態によれば、先端パイプユニット１０を折り返すことを可能としたことで、収納状態における床面からの高さを低くおさえることができるとともに、掃除機の収納状態において最も煩わしいとされていたホース体１１を延長管３と隣接した位置であって掃除機本体１近くの低い位置で処理できるため全体的にコンパクトで、低重心となり、安定した収納状態を確保することができるものである。また、係合時の接続部１３と先端パイプ８上端の高さをほぼ同一高さにすることで副ホース９をバランスよく屈曲させることができ、副ホース９屈曲部の局部的な負担の集中を軽減することを目的としている。
【００２４】
また、副ホース９を収納するパイプ部分を真直ぐな形状としたもので、副ホース収納状態での収まりをよくでき、吸塵通路の凹凸を最大限均一かつ滑らかにすることができて、塵埃を引っかかりにくくでき、また吸込み力の損失を抑え高い吸込み力を維持することができるものである。
【００２５】
また、この実施の形態では副ホース９の接続部１３と先端パイプユニット１０の嵌合構成を捻り嵌合としてあり、構成が容易でありコンパクトで安価に形成することができる。
【００２６】
更に前記副ホース９はその伸長時の長さが、先端パイプ８のカバー１７と延長管３が略並行になるように屈曲できる長さ／あるいはそれ以上を確保してあり、延長管３に対しホース体１１が接続された先端パイプユニット１０を１８０度屈曲させることで収納状態をコンパクトにまとめることが可能となるものである。
【００２７】
また、前記副ホース９の内径を延長管接続部１３の内径よりも大きく設定したので、副ホース９による吸塵性能の低下を抑えることができる。
【００２８】
また、収納状態に限らず、掃除中においてはハンドル１４部が入らない隙間等を掃除する場面等で、あと少しが届かないという時、接続部１３を先端パイプ８から取り外し、副ホース９を引き伸ばすことで広範囲の掃除を可能にしたり、或いは、副ホース９の屈曲性を利用した各々の使い道があることは云うまでもない。
【００２９】
この場合、ホース先端パイプの接続部１３に各種吸込具が接続できる構成としておくことはもちろんである。
【００３０】
なお、先端パイプ８に設けた係合部２１の位置について、この実施の形態ではハンドル１４に対抗（１８０度回転位置）する位置で紹介したが、目的はコンパクトに収納することであり、ハンドル１４の形状等により、延長管３に対し横方向係合保持したり、前方向で係合保持保持したりということは容易に推測できるものである。
【００３１】
（実施の形態２）
次に第２の実施の形態について、図４を用いて簡単に説明する。図４は、先端パイプ８に接続された副ホース９とホース体１１とが屈曲された位置関係のホース２の収納状態を示すものであり、延長管３に対し、先端パイプ８を平行に収納したり、ホース体１１を平行に収納したりという展開を視的に表現したものである。
【００３２】
（実施の形態３）
次に第３の実施の形態について、図５を用いて簡単に説明する。図５は先端パイプ８を係合するための被係合部２２を延長管３から接続部１３へ変更した事例である。こうすることにより、ホース２以外のユニット（吸込具，延長管，本体）を従来からのもの（従来から使用している掃除機）にも使用して、収納状態をコンパクトにすることができるというものである。
【産業上の利用可能性】
【００３３】
以上のように、本発明にかかるホースは、掃除範囲を広げることができると共に、安定性の高いコンパクトな収納状態を確保することができるもので、家庭用、業務用電気掃除機に広く適用できる。
【図面の簡単な説明】
【００３４】
【図１】本発明の実施の形態１における電気掃除機の全体図
【図２】同副ホースをカバー内に収納しているときの部分断面図
【図３】同副ホースをカバーから引き出して屈曲しているときの部分断面図
【図４】同実施の形態２における副ホース屈曲時の部分断面図
【図５】同実施の形態３における副ホース屈曲時の部分断面図
【符号の説明】
【００３５】
１    本体
２    ホース
３    延長管
８    先端パイプ
９    副ホース
１１  ホース体
１３  接続部
【図１】
2007037674.tif 000003
【図２】
2007037674.tif 000004
【図３】
2007037674.tif 000005
【図４】
2007037674.tif 000006
【図５】
2007037674.tif 000007